(57)【要約】【課題】蓄積された文書のセキュリティを保持した上でのサムネイルを表示すること。【解決手段】画像データを蓄積する蓄積手段と画像のサムネイルを表示する表示手段とを備えてサムネイルを表示する画像処理装置であって、蓄積手段に蓄積された画像データからサムネイル用画像データを生成し、生成されたサムネイル用画像データを記憶手段に転送し、サムネイルを表示手段に表示するか又は非表示にするかを判断するものであり、サムネイルの表示又は非表示の判断に際して、画像データに対するパスワードが非設定状態である場合にサムネイルを表示し、パスワードが設定状態である場合にサムネイルの非表示を示す保留画像１００を表示すること。【選択図】図１
2006227707.tif 000002
【特許請求の範囲】
【請求項１】
画像データを蓄積する画像データ蓄積手段と、前記画像データに対応する画像のサムネイルを表示する表示手段と、を備える画像処理装置であって、
前記表示手段が表示するサムネイルに対応するサムネイル用画像データを記憶する画像データ記憶手段と、
前記画像データ蓄積手段に蓄積された画像データから前記サムネイル用画像データを生成する生成手段と、
前記生成された前記サムネイル用画像データを前記画像データ記憶手段に転送する転送手段と、
前記サムネイルを前記表示手段に表示するか又は非表示にするかを判断する判断手段と、を有し、
前記判断手段は、前記画像データのセキュリティ属性に基づいて、前記サムネイルの表示又は非表示を判断するように制御する
ことを特徴とする画像処理装置。
【請求項２】
請求項１において、
前記画像データのセキュリティ属性は、前記画像データに対するパスワード設定情報であることを特徴とする画像処理装置。
【請求項３】
請求項２において、
前記パスワードが設定済みである画像データの場合、当該画像データのサムネイル表示を保留するように制御することを特徴とする画像処理装置。
【請求項４】
請求項１又は２において、
前記判断手段がサムネイルを非表示にすると判断すると、当該画像データに対応する画像のサムネイルの非表示を示す保留画像を表示することを特徴とする画像処理装置。
【請求項５】
請求項４において、
前記サムネイルの非表示を示す保留画像を前記表示手段で選択すると、パスワード入力手段を表示するように制御することを特徴とする画像処理装置。
【請求項６】
請求項５において、
前記パスワード入力手段によりパスワード入力されパスワードが認証されると、当該画像データのサムネイル表示を行うように制御することを特徴とする画像処理装置。
【請求項７】
請求項５において、
前記パスワード入力手段によりパスワード入力されパスワードが認証拒絶されると、サムネイル非表示を持続するように制御することを特徴とする画像処理装置。
【請求項８】
請求項２において、
前記パスワードが設定済みである画像データが、前記パスワードが非設定状態となった場合、当該画像データのサムネイル表示を行うように制御することを特徴とする画像処理装置。
【請求項９】
請求項２において、
前記パスワードが非設定である画像データが、前記パスワードが設定状態となった場合、当該画像データのサムネイル非表示を行うように制御することを特徴とする画像処理装置。
【請求項１０】
画像データを蓄積する画像データ蓄積手段と前記画像データに対応する画像のサムネイルを表示する表示手段とを備えて、前記サムネイルを表示する画像処理方法であって、
前記画像データ蓄積手段に蓄積された画像データからサムネイル用画像データを生成するステップと、
前記生成された前記サムネイル用画像データを画像データ記憶手段に転送するステップと、
前記サムネイルを前記表示手段に表示するか又は非表示にするかを判断するステップと、を有し、
前記判断するステップにおける前記サムネイルの表示又は非表示は、前記画像データに対するパスワードが非設定状態である場合にサムネイルを表示し、前記パスワードが設定状態である場合にサムネイルの非表示を示す保留画像を表示する
ことを特徴とする画像処理方法。
【請求項１１】
請求項１０に記載された画像処理方法によってサムネイルの表示又は非表示を実行するプログラム。
【発明の詳細な説明】
【技術分野】
【０００１】
本発明は画像処理装置に係わり、特に、画像のサムネイルの表示又は非表示を制御する画像処理装置、サムネイル表示方法、サムネイル表示プログラム、サムネイル表示プログラムを記録した記録媒体に関する。
【背景技術】
【０００２】
複数の画像データの内容を確認することなどに用いられるサムネイルは、容易に複数の画像の内容が確認できるため、多くのアプリケーションやＯＳにサポートされている。また、複写機などの操作部の画面にサムネイルを表示するものも既に提案されている。
【０００３】
さらに、ホスト装置から指定された親展印刷モード時には、レイアウト情報のみであって、データ内容の読み取りが全くできないような形の試し印刷を行える機能を備えた、機密保持を容易に行える文書印刷システムが提案されている（例えば、特許文献１を参照）。
【特許文献１】特開２００２−１３２４８２号公報
【発明の開示】
【発明が解決しようとする課題】
【０００４】
しかしながら、画像処理装置において、安易にサムネイル表示を行うと画像内容が第三者に漏れてしまってセキュリティ上で好ましくない。また、上記の特許文献１では、画像処理装置において文書の機密保持についての配慮はなされているが、画像処理装置に多数蓄積された文書のサムネイルによる一覧表示についての技術は開示されておらず、サムネイルによる一覧表示と文書の機密保持の関連について、特段の技術開示はなされていない。
【０００５】
そこで、本発明は、蓄積された文書のセキュリティを保持した上でのサムネイルを表示することのできる画像処理装置を提供することを目的とする。
【課題を解決するための手段】
【０００６】
前記課題を解決するために、本発明は主として次のような構成を採用する。  
画像データを蓄積する画像データ蓄積手段と、前記画像データに対応する画像のサムネイルを表示する表示手段と、を備える画像処理装置であって、前記表示手段が表示するサムネイルに対応するサムネイル用画像データを記憶する画像データ記憶手段と、前記画像データ蓄積手段に蓄積された画像データから前記サムネイル用画像データを生成する生成手段と、前記生成された前記サムネイル用画像データを前記画像データ記憶手段に転送する転送手段と、前記サムネイルを前記表示手段に表示するか又は非表示にするかを判断する判断手段と、を有し、前記判断手段は、前記画像データのセキュリティ属性に基づいて、前記サムネイルの表示又は非表示を判断するように制御する構成とする。
【０００７】
また、画像データを蓄積する画像データ蓄積手段と前記画像データに対応する画像のサムネイルを表示する表示手段とを備えて、前記サムネイルを表示する画像処理方法であって、前記画像データ蓄積手段に蓄積された画像データからサムネイル用画像データを生成するステップと、前記生成された前記サムネイル用画像データを画像データ記憶手段に転送するステップと、前記サムネイルを前記表示手段に表示するか又は非表示にするかを判断するステップと、を有し、前記判断するステップにおける前記サムネイルの表示又は非表示は、前記画像データに対するパスワードが非設定状態である場合にサムネイルを表示し、前記パスワードが設定状態である場合にサムネイルの非表示を示す保留画像を表示する画像処理方法。
【発明の効果】
【０００８】
本発明によると、画像処理装置に蓄積された画像データのセキュリティ属性に基づいて、画像データのサムネイルを表示するか非表示にするかを判断することによって、蓄積された文書のサムネイルを表示させるとともに、特定の蓄積文書のサムネイルを表示させないことで画像データのセキュリティも保つことができる。
【０００９】
また、サムネイル表示を保留された特定の蓄積された文書についても、パスワード入力などによって、該当する画像データについてサムネイル表示とすることもでき、画像処理装置として、使い勝手の良い画像データのサムネイル表示を可能とすることができる。
【発明を実施するための最良の形態】
【００１０】
本発明の実施形態に係る、サムネイルを表示・非表示制御する画像処理装置について、図面を参照しながら以下説明する。図１は本発明の実施形態に係る画像処理装置において保留画像を含むサムネイルを表示した画面を示す説明図である。図２は本実施形態に係る画像処理装置において保留画像の保留を解除したサムネイルを表示した画面を示す説明図である。
【００１１】
まず最初に、本発明の実施形態に係る、サムネイルを表示・非表示制御する画像処理装置の概要について、図１と図２を参照しながら説明する。図１に示されるサムネイルには４つの画像があり、そのうちの画像１００は、「！」となっている。この画像１００は、本来表示されるべき画像のサムネイルの表示が保留されていることを示す画像である。この画像１００の下には、本来表示されるべき画像のファイル名（図示例では「右矢印」）が記される。
【００１２】
表示を保留された画像は、セキュリティが保たれる必要のある画像であり、例えばパスワードが設定されている画像である。この本来の画像を表示するためには、例えばユーザが画像１００をマウスで選択することによりパスワード入力画面（図６を参照）が表示され、パスワードチェックが成功するとサムネイル表示保留が解除されることになる。一例として図２に示されるような、本来の画像のサムネイルである画像１０１が表示される。
【００１３】
このように、本実施形態は、画像に対するサムネイル表示において、セキュリティを保つ必要のある画像の場合、サムネイル表示を保留するようにして文書画像のセキュリティを保つようにするものである。
【００１４】
次に、上述した処理、動作を実行する本実施形態に係る画像処理装置について図３を参照しながら説明する。図３は、本発明の実施形態に係る、サムネイルを表示・非表示制御する画像処理装置の機能ブロックを示す図である。図３において、本実施形態に係る画像処理装置の機能ブロックは、制御部１１０と、画像管理部１１１と、蓄積用画像記憶部１１２と、画像属性保存用記憶部１１３と、表示管理部１１４と、表示用画像記憶部１１５と、サムネイル非表示用記憶部１１６と、表示部１１７と、を備えている。
【００１５】
制御部１１０は画像処理装置全体の制御を行う。画像管理部１１１は、画像データの圧縮、生成などの画像データの管理を行うとともに、画像データからサムネイル用画像データを生成する。蓄積用画像記憶部１１２は画像データを記憶する。画像属性保存用記憶部１１３は後述する画像データの属性を保存する。
【００１６】
表示管理部１１４は、サムネイルの表示に関する管理を行う。表示用画像記憶部１１５は、サムネイルとして表示される画像データを記憶する。サムネイル非表示用画記憶部１１６は、図１で説明した画像１００のような、サムネイルの表示を保留したことを示す保留画像が記憶されている。表示部１１７はユーザに対して画像を表示するものである。
【００１７】
なお、上述した制御部１１０は、サムネイル用画像データを表示するか否かを判断する判断手段に対応する。画像管理部１１１は、生成されたサムネイル用画像データを画像データ蓄積手段からサムネイル用画像データ記憶手段に転送する転送手段と、画像データ蓄積手段に蓄積された画像データからサムネイル用画像データを生成する生成手段に対応する。蓄積用画像記憶部１１２は画像データを蓄積する画像データ蓄積手段に対応する。表示管理部１１４と表示部１１７は、画像データに対応する画像のサムネイルを表示する表示手段に対応する。表示用画像記憶部１１５は、表示手段が表示するサムネイルに対応するサムネイル用画像データが記憶される画像データ記憶手段に対応する。なお、図３に示す機能ブロック図は、ソフトウェアで実現可能なソフトウェアブロック図である。
【００１８】
次に、本実施形態に係る画像処理装置のハードウェア構成について、図４を用いて説明する。本実施形態に係る画像処理装置は、コントローラボード６０と、オペレーションパネル５３と、ＦＣＵ（ファクシミリコントロールユニット）６８と、エンジン７１と、プロッタ７２とを備えている。また、ＦＣＵ６８は、Ｇ３規格対応ユニット６９と、Ｇ４規格対応ユニット７０とを有する。
【００１９】
また、コントローラボード６０は、ＣＰＵ６１と、ＡＳＩＣ（Ａｐｐｌｉｃａｔｉｏｎ  Ｓｐｅｃｉｆｉｅｄ  ＩＣ）６６と、ＨＤＤ６５と、ローカルメモリ（ＭＥＭ−Ｃ）６４と、システムメモリ（ＭＥＭ−Ｐ）６３と、ノースブリッジ（以下、ＮＢと記す）６２と、サウスブリッジ（以下、ＳＢと記す）７３と、ＮＩＣ７４（Ｎｅｔｗｏｒｋ  Ｉｎｔｅｒｆａｃｅ  Ｃａｒｄ）と、ＵＳＢデバイス７５と、ＩＥＥＥ１３９４デバイス７６と、セントロニクスデバイス７７とを含む。
【００２０】
オペレーションパネル５３は、コントローラボード６０のＡＳＩＣ６６に接続されている。また、ＳＢ７３と、ＮＩＣ７４と、ＵＳＢデバイス７５と、ＩＥＥＥ１３９４デバイス７６と、セントロニクスデバイス７７は、ＮＢ６２にＰＣＩバスで接続されている。また、ＦＣＵ６８と、エンジン７１と、プロッタ７２は、コントローラボード６０のＡＳＩＣ６６にＰＣＩバスで接続されている。
【００２１】
なお、コントローラボード６０は、ＡＳＩＣ６６にローカルメモリ６４、ＨＤＤ６５などが接続されるとともに、ＣＰＵ６１とＡＳＩＣ６６とがＣＰＵチップセットのＮＢ６２を介して接続されている。このように、ＮＢ６２を介してＣＰＵ６１とＡＳＩＣ６６とを接続すれば、ＣＰＵ６１のインタフェースが公開されていない場合に対応できる。
【００２２】
ここで、ＡＳＩＣ６６とＮＢ６２とはＰＣＩバスを介して接続されているのでなく、ＡＧＰ（Ａｃｃｅｌｅｒａｔｅｄ  Ｇｒａｐｈｉｃｓ  Ｐｏｒｔ）６７を介して接続されている。このように、一つ以上のプロセスを実行制御するため、ＡＳＩＣ６６とＮＢ６２とを低速のＰＣＩバスでなくＡＧＰ３５を介して接続し、パフォーマンスの低下を防いでいる。
【００２３】
ＣＰＵ６１は、本実施形態に係る画像処理装置の全体制御を行うものである。ＮＢ６２は、ＣＰＵ６１、システムメモリ６３、ＳＢ７３およびＡＳＩＣ６６を接続するためのブリッジである。システムメモリ６３は、サムネイルを記憶するメモリである。ＳＢ７３は、ＮＢ６２とＰＣＩバス、周辺デバイスとを接続するためのブリッジである。また、ローカルメモリ６４は画像データを記憶するメモリである。
【００２４】
ＡＳＩＣ６６は、画像処理用のハードウェア要素を有する画像処理用途向けのＩＣである。ＨＤＤ６５は、画像データの蓄積、文書データの蓄積、プログラムの蓄積、フォントデータの蓄積、フォームの蓄積などを行うためのストレージである。また、オペレーションパネル５３は、ユーザからの入力操作を受け付けるとともに、ユーザに向けた表示を行う操作部である。サムネイルは、このオペレーションパネル５３に表示される。
【００２５】
なお、図３で説明した蓄積用画像記憶部１１２は、画像データを記憶するＨＤＤ６５またはローカルメモリ６４に対応する。画像属性保存用記憶部１１３も同様に、ＨＤＤ６５、ローカルメモリ６４または図示しない例えばＮＶ−ＲＡＭ（Ｎｏｎ−Ｖｏｌａｔｉｌｅ−ＲＡＭ）に対応する。表示用画像記憶部１１５、サムネイル非表示用画像記憶部１１６はシステムメモリ６３に対応する。表示部１１７は、サムネイルなどを表示するオペレーションパネル５３に対応する。
【００２６】
次に、本実施形態に関するサムネイル表示について、画像データからサムネイルが表示されるまでのデータの流れを図５を参照しながら説明する。図５は本実施形態に関するサムネイル表示において、画像データからサムネイル表示までのデータの流れを示す図である。
【００２７】
図５に示すデータの流れ図には、全体画像１２０と、画像１２４，１２５，１２７と、部分画像１２１と、圧縮画像データ１２２と、保留画像１２６とが示されている。また、図５には、圧縮画像データ領域１２３と、伸長後画像データ領域１２８と、表示用メモリ１２９とが示されているが、これらの領域は、表示用画像記憶部１１５が管理するメモリ領域である。
【００２８】
全体画像１２０は、蓄積用画像記憶部１１２が記憶した画像データに対応する。圧縮画像データ１２２は、全体画像１２０に対応する画像データを圧縮したものである。画像１２４は、圧縮画像１２２を伸長し、伸長後画像データ領域１２８に記憶されている画像データに対応する画像である。画像１２５は、表示用メモリ１２９に記憶されている画像データに対応する画像である。画像１２６は、保留画像を示し、サムネイル非表示用画像メモリ１１８に記憶されている画像データに対応するものである。画像１２７は、実際にオペレーションパネル５３に表示された画像を示す。
【００２９】
次に、データの流れについて説明する。図５のステップＳ１０１で、部分画像１２１に対応する画像データを圧縮し、圧縮画像データ１２２が生成される。図５のステップＳ１０２で、圧縮画像データ１２２は、圧縮画像データ領域１２３へ転送される。図５のステップＳ１０３で、圧縮画像データ１２２は伸長され、伸長後画像データ領域１２８へ展開される。伸長された画像データは、図５のステップＳ１０４で、表示用メモリ１２９に展開される。表示用メモリ１２９へ展開された画像データは、図５のステップＳ１０５で、オペレーションパネル５３に表示される。このように、画像データの転送は、図５のステップＳ１０２、ステップＳ１０３、ステップＳ１０４の順で行われる。
【００３０】
次に、本実施形態に関する、画像ファイルのセキュリティ属性であるパスワード設定について、図７と図８を参照しながら説明する。図７は本実施形態に係る画像処理装置における原稿読み取りによる文書蓄積の画面例を示す図である。図８は本実施形態に係る画像処理装置における文書のパスワード設定の画面例を示す図である。図７において、画面で原稿を読み取るとＨＤＤに画像が蓄積され、、また、パスワードキーの押し下げによって文書のパスワードが設定できるようになっている。図８の画面例において、パスワード入力して「実行」キー押し下げでパスワードが設定される。そして、設定後は図７に示す画面に遷移する。
【００３１】
画像形成装置の１つである多機能複写装置では、画像データは周知のように読取装置から原稿画像データが読み取られ、図４に示すＨＤＤ６５に蓄積される。この場合、図４のオペレーションパネル５３には図７に示す原稿読み取り画面が表示され、読み取り条件等を設定して原稿画像データの読み取りを行うことになる。
【００３２】
ここで、蓄積した画像データにセキュリティを掛けたい場合、図７の「パスワード」キー２００にて蓄積した画像データに対してパスワードを設定可能となっている。すなわち、図７に示す「パスワード」キー２００を押し下げすると図８に示すパスワード設定画面が表示される。
【００３３】
図８に「パスワード」キー２００を押下した時の画面展開例を示す。この画面でテンキーでパスワードを入力して「実行キー」を押下すると蓄積画像データに対してパスワードが設定される。パスワードが設定されている蓄積画像データを使用する場合は、パスワードを入力しないと画像の参照が行えないようになっており（図６に示すパスワード入力要求画面を参照）セキュリティが保たれる。
【００３４】
また、既に蓄積済みの画像データに対しても、後からパスワードを設定したり、設定を解除したり、パスワードを変更したりできるようになっている。このようなパスワード編集画面の例を図９の（１），（２），（３）に示す。
【００３５】
図９の（１）は本実施形態に係る画像処理装置において蓄積済み画像の一覧を表示する画像リスト画面を示す図である。図９の（２）は本実施形態に係る画像処理装置において蓄積済み画像のパスワード変更を含む文書管理画面を示す図である。図９の（３）は本実施形態に係る画像処理装置において蓄積済み画像のパスワード編集画面を示す図である。
【００３６】
パスワードを変更したい画像を選択して文書管理キー３００を押下すると、図９の（２）に示すように文書管理のための「ユーザ名変更」「文書名変更」「パスワード変更」キーが現れる。次に「パスワード変更」キー３０１を押下すると、図９の（３）に示すようなパスワード編集画面が表示される。この編集画面において該当画像のパスワードを「パスワードなし」「パスワード新規設定」「パスワード変更」することができる。
【００３７】
次に、本発明の実施形態に係る、サムネイルを表示・非表示制御する画像処理装置の動作手順について、図１０〜図１３を参照しながら以下説明する。図１０は本実施形態に関するサムネイルを表示する全体処理を示すフローチャートである。図１１は本実施形態に関するサムネイルの表示可否判定の処理を示すフローチャートである。図１２は本実施形態に関する画像データの転送処理を示すフローチャートである。図１３は本実施形態に関するサムネイルの一覧表示後の処理を示すフローチャートである。
【００３８】
図１０において、ステップＳ１で、制御部１１０はムネイルで表示する画像数を取得する。次に、制御部１１０は、ステップＳ２で、全画像の表示処理が完了したかどうか判断する。完了した場合に処理は終了する。
【００３９】
完了していない場合、処理はステップＳ３へ進む。ステップＳ３で、制御部１１０は、サムネイルを表示するか否かの可否判定処理を実行する。この処理の詳細は後述する図１１に示すフローチャートで説明する。
【００４０】
制御部１１０は、ステップＳ４で、画像のサムネイルを表示するかどうか（サムネイル表示抑制フラグがリセットされているか否か）判断する。この判断では、サムネイル表示可能と判断した場合、制御部１１０は、ステップＳ５で、画像管理部１１１に画像データの転送処理を行わせる。そして、ステップＳ６で、画像表示処理が行われ、画像がサムネイルとして表示される。その後、再びステップＳ２の処理が行われる。
【００４１】
ステップＳ４に戻り、画像のサムネイルを表示しないと判断された場合、制御部１１０は、ステップＳ７で、表示管理部１１４に事前に用意された保留画像を表示させる。このとき、本来表示すべき画像のファイル名は表示される。すなわち、画像転送は行わず書誌情報とダミーサムネイルを表示する。
【００４２】
次に、図１０に示すステップＳ３の処理の詳細について図１１を用いて説明する。ステップＳ１１で、制御部１１０は、画像データの画像属性を取得して該当画像がパスワード付きの画像であるかを判断する。このパスワードは画像データに設定でき、画像を蓄積するとき（図７と図８を参照）や、蓄積済みの画像に対して（図９の（１），（２），（３））パスワードの編集（パスワード非設定、新規設定、パスワード変更）も行える構成となっている。
【００４３】
したがって、画像データにパスワード情報（パスワードの有無）が設定されており、そのパスワード情報に基づきサムネイルを表示することができる。その結果、ステップＳ１２，Ｓ１３にて「サムネイル表示抑制フラグ」に記憶される。すなわち、Ｓ１１でパスワード付きファイルであれば、サムネイル表示抑制フラグがセットされ（Ｓ１２）、そうでなければ、サムネイル表示抑制フラグがリセットされる（Ｓ１３）。そして、このフラグは図１０のステップＳ４で参照される。
【００４４】
次に、図１０におけるステップＳ５の処理の詳細について、図１２のフローチャートを用いて説明する。ステップＳ２１で、画像管理部１１１は、全体画像データの画像データ圧縮処理を行う。ステップＳ２２で、画像管理部１１１は、圧縮画像データの表示用画像記憶部１１５への転送処理を行う。続いて、表示管理部１１４は、ステップＳ２３で、圧縮画像データの伸長処理を行い、ステップＳ２４で、伸長された画像データを表示用メモリにＤＭＡ転送する。
【００４５】
次に、図１３のフローチャートを用いて、サムネイル一覧表示後の処理（パスワード入力でサムネイル表示を実施する処理）を説明する。まず、ステップＳ３１〜Ｓ３３において、パスワード設定によるサムネイル表示保留画像が選択されたか否かを判定する（例えば、図１に示すサムネイル表示保留画像１００が選択されたか否かの判定である）。選択された画像がパスワード設定によりサムネイルが表示保留されている場合、図６に示すようなパスワードの入力要求を行う画面を表示する（Ｓ３４）。ステップＳ３５でパスワード照合がＯＫであれば、ステップＳ３６，Ｓ３７において、既に記述したように画像転送を行い（図１２を参照）、画像のサムネイル表示を行う。このような動作例が図２の図示例に相当する。
【００４６】
このように、画像データにパスワード情報（パスワードの有無）が設定されており、そのパスワード情報に基づきサムネイルを表示することができる。画像にセキュリティが掛かっている場合、むやみにサムネイル表示しないようにすることができるので画像のセキュリティが保たれる。
【００４７】
また、図１０は、既に蓄積済みの画像に対してパスワードの編集（パスワード非設定、新規設定、パスワード変更）が行われた場合にも起動され、パスワード情報が変化した場合、すなわち、パスワードが非設定から設定状態へ変化した場合には、表示済みサムネイルを非表示（サムネイル表示保留画像の表示）にし、パスワードが設定から非設定状態へ変化した場合には、サムネイルの非表示（サムネイル表示保留画像の表示）状態をサムネイル表示状態へ遷移させることが可能となっている。
【００４８】
以上説明したように、本発明の実施形態に係る画像処理装置を採用することによって、次のような機能乃至作用を奏させることができる。すなわち、蓄積された文書のセキュリティを考慮したサムネイルを表示する画像処理装置において、画像データのセキュリティ属性にもとずいて、サムネイルの表示／非表示を判断するように構成することで、蓄積済み文書のセキュリティを保つことができる。さらに、パスワード設定済みの画像データの場合、該当画像データのサムネイル表示を保留するように制御することで、蓄積済み文書のセキュリティを保つことができる。さらに、パスワード非設定の画像データの場合、該当画像データのサムネイル表示を行うように制御することで、蓄積済み文書のサムネイル一覧を参照できる。
【００４９】
また、パスワード設定済みの画像データの場合、該当画像データのサムネイル表示を保留してパスワード入力するように構成することで、パスワード付きの画像に対して永続的にサムネイル非表示にするのではなく、使い勝手の良いサムネイル表示機能を可能としている。さらに、パスワード設定済みの画像データの場合、該当画像データのサムネイル表示を保留して、パスワード入力するように構成することで、該当画像の管理者に対してはサムネイル表示を可能とすることができる。さらに、パスワード設定済みの画像データの場合、該当画像データのサムネイル表示を保留して、パスワード入力するように構成することで、該当画像の管理者以外の人に対してはサムネイルを非表示とすることで、蓄積文書のセキュリティを保つことができる。さらに、パスワード設定状態に対して動的にサムネイルの表示／非表示を行うように構成することで、使い勝手のよいサムネイル表示装置を提供することができる。
【図面の簡単な説明】
【００５０】
【図１】本発明の実施形態に係る画像処理装置において保留画像を含むサムネイルを表示した画面を示す説明図である。
【図２】本実施形態に係る画像処理装置において保留画像の保留を解除したサムネイルを表示した画面を示す説明図である。
【図３】本発明の実施形態に係る、サムネイルを表示・非表示制御する画像処理装置の機能ブロックを示す図である。
【図４】本発明の実施形態に係る、サムネイルを表示・非表示制御する画像処理装置のハードウェア構成を示す図である。
【図５】本実施形態に関するサムネイル表示において、画像データからサムネイル表示までのデータの流れを示す図である。
【図６】本実施形態に係る画像処理装置における文書パスワードの確認画面を示す図である。
【図７】図７は本実施形態に係る画像処理装置における原稿読み取りによる文書蓄積の画面例を示す図である。
【図８】本実施形態に係る画像処理装置における文書のパスワード設定の画面例を示す図である。
【図９】本実施形態に係る画像処理装置において、蓄積済み画像の一覧を表示する画像リスト画面、蓄積済み画像のパスワード変更を含む文書管理画面、蓄積済み画像のパスワード編集画面を示す図である。
【図１０】本実施形態に関するサムネイルを表示する全体処理を示すフローチャートである。
【図１１】本実施形態に関するサムネイルの表示可否判定の処理を示すフローチャートである。
【図１２】本実施形態に関する画像データの転送処理を示すフローチャートである。
【図１３】本実施形態に関するサムネイルの一覧表示後の処理を示すフローチャートである。
【符号の説明】
【００５１】
１００  サムネイル表示保留画像
１０１  サムネイル画像
１１０  制御部
１１１  画像管理部
１１２  蓄積用画像記憶部
１１３  画像属性保存用記憶部
１１４  表示管理部
１１５  表示用画像記憶部
１１６  サムネイル非表示用画像記憶部
１１７  表示部
２００  パスワードキー
３００  文書管理キー
３０１  パスワード変更キー
【図１】
2006227707.tif 000003
【図２】
2006227707.tif 000004
【図３】
2006227707.tif 000005
【図４】
2006227707.tif 000006
【図５】
2006227707.tif 000007
【図６】
2006227707.tif 000008
【図７】
2006227707.tif 000009
【図８】
2006227707.tif 000010
【図９】
2006227707.tif 000011
【図１０】
2006227707.tif 000012
【図１１】
2006227707.tif 000013
【図１２】
2006227707.tif 000014
【図１３】
2006227707.tif 000015